(57)【特許請求の範囲】
【請求項１】
ゴルフ・プレーにおけるパッティング用のヘッドと、このヘッドに取り付けた把持用のグリップ部とのみをもって構成したことを特徴とするゴルフ用パター。
【発明の詳細な説明】
【発明の属する技術分野】
本発明は、ゴルフ用パターに関し、詳しくはゴルフ・プレーのパッティングにおいて使用するパターに極めて斬新な改良を施したゴルフ用パターに関するものである。
【従来の技術】
人間が物に向って何らかの行為を行う場合、本来目的の物に正対して、この物を投げたり、この物を狙ったりするのが最も自然であり、野球或いはボーリング等々も、そして射撃も目的物に正対した姿勢で行っている。
また、両手を使うのは強い力を要する場合であり、例えば大きな槌で杭を打つときとか、餅つきの場合の杵を操作するときには両手を使用している。
この意味においてゴルフ・プレーの場合においても、パター以外のドライバーやアイアン等のクラブを扱う場合には両手の使用が理にかなっている。
【発明が解決しようとする課題】
しかしながら、パターを使用してパッティングをおこなう場合には、必ずしも両手を使用することが理にかなっているとは言えない。
試みにハンマーを持ち釘を打つ場合には、適当な重さのハンマーを片手に持って使った方が正確な作業が出来ることは明らかである。
今までゴルフ競技においては、ドライバーとかアイアンの延長線上でパターを考えてきたと思われるが、本来遠くにボールを飛ばす動作と、グリーンの上でボールを転がして穴に入れる動作とは全く異なるものである。
本発明は、上記事情に鑑みてなされたものであり、従来のパターよりも極端に、例えば約半分以下又は約１／３以下に柄を短くし、これを片手で操作することにより、パッティングの正確性向上を図ることが可能なゴルフ用パターを提供することを目的とする。上記本発明の目的は、パターのシャフトの部分を削除し、ヘッドと把持用のグリップ部のみをもってパターを構成しても達成できる。
【課題を解決するための手段】
本発明に係るゴルフ用パターは、ゴルフ・プレーにおけるパッティング用のヘッドと、短尺の柄とを具備することを特徴とするものである。
本発明によれば、柄を従来のパターより極端に、例えば約半分以下又は約１／３以下に短くした構成とし、このゴルフ用パターを片手で操作してゴルフボールを打つことにより従来のパッティングの場合よりもゴルフボールに対して一層正確に正対してパッティングを行うことができ、これにより、パッティングの正確性向上を図ることが可能となる。
また、本発明に係るゴルフ用パターは、前記パッティング用のヘッドと短尺の柄とを、Ｔ字状又はＬ字状に連結した構成としたり、また、前記パッティング用のヘッドをマレット型とした構成とするものである。
これにより、Ｔ字状又はＬ字状、更には、マレット型の各種形態のパターにより、従来のパッティングの場合よりもゴルフボールに対して一層正確に正対してパッティングを行うことができ、パッティングの正確性向上を図ることが可能となる。
更に、本発明に係るゴルフ用パターは、パッティング用のヘッドと、このヘッドに取り付けた操作用、把持用のグリップ部とを具備することを特徴とするものである。
この発明に係るゴルフ用パターによれば、パッティング用のヘッドに操作用グリップ部を取り付けたという構成で、このパターを例えばしゃがんだ姿勢で操作することにより、従来のパッティングの場合よりもゴルフボールに対して一層正確に正対してパッティングを行うことができ、パッティングの正確性向上を図ることが可能となる。
更にまた、本発明に係るゴルフ用パターは、パターのシャフトの部分を削除し、ゴルフ・プレーにおけるパッティング用のヘッドと把持用のグリップ部とのみをもって構成したことを特徴とするものである。このゴルフ用パターにおいても、前述したと同様な作用を発揮できる。
【発明の実施の形態】
以下に、本発明の実施の形態を詳細に説明する。
図１は、本発明の実施の形態１のゴルフ用パター１を示すものである。
このゴルフ用パター１は、ゴルフ・プレーにおけるパッティング用のヘッド２と、短尺の柄３とを連結した全体としてＴ字状の形状に構成している。
前記柄３は、グリップ部４と、ヘッド２の上面中央部に取り付けたシャフト５とを有し、このシャフト５の寸法Ｌを従来におけるパターより極端に、例えば従来におけるパターよりも約半分（例えば１０乃至３０ｃｍ程度）以下又は約１／３以下に短くした構成となっている。
このゴルフ用パター１によれば、ゴルフ用パター１のグリップ部４を、ゴルフの競技者が片手に持ち、グリーン上のゴルフボールＢに対して体を正対し、立ったままゴルフ用パター１を持った片手を伸ばし、又はボーリングの如く中腰の状態で、更には、しゃがんだ体勢で、このボールＢをグリーンに設けた穴に向けて正確に打つことができる。
この場合、柄３を従来のパターより極端に短くしているので、ゴルフの競技者の目とグリーン上のボールＢとの距離が従来の場合より縮まり、これにより、ゴルフボールＢの認識、パッティングラインの把握の度合いが高まり、パッティング時のヘッド２のブレも抑えることができ、従来のパッティングの場合よりもゴルフボールＢに対して一層正確にパッティングを行うことができ、パッティングの正確性向上を図ることが可能となる。
図５は、図１のゴルフ用パター１の変形実施の形態に係るゴルフ用パター１Ｄを示すものであり、シャフト５の部分を削除し、ヘッド２と把持用のグリップ部４とのみをもって構成したものである。このゴルフ用パター１Ｄにおいても、前記図１のゴルフ用パター１と同様の作用、効果を発揮できる。
図２は、本発明における実施の形態２のゴルフ用パター１Ａを示すものであり、このゴルフ用パター１Ａは、ゴルフ・プレーにおけるパッティング用のヘッド２ａと、短尺の柄３とを連結した全体としてＬ字状の形状に構成としたものである。
このようなゴルフ用パター１Ａによっても、実施の形態１の場合と同様、ゴルフの競技者の目とグリーン上のボールＢとの距離が従来の場合より縮まり、これにより、ゴルフボールＢの認識、パッティングラインの把握の度合いが高まりパッティング時のヘッド２ａのブレも抑えることができ、従来のパッティングの場合よりもゴルフボールＢに対して一層正確にパッティングを行うことができ、パッティングの正確性向上を図ることが可能となる。
図６は、図２のゴルフ用パター１Ａの変形実施の形態に係るゴルフ用パター１Ｅを示すものであり、シャフト５の部分を削除し、ヘッド２ａと把持用のグリップ部４とのみをもって構成したものである。このゴルフ用パター１Ｅにおいても、前記図２のゴルフ用パター１Ａと同様の作用、効果を発揮できる。
図３は、本発明に係る実施の形態３のゴルフ用パター１Ｂを示すもので、このゴルフ用パター１Ｂは、ゴルフ・プレーにおけるパッティング用のいわゆるマレット型のヘッド２ｂと、短尺の柄３とを連結したマレット型の構成としたものである。
このようなゴルフ用パター１Ｂによっても、実施の形態１の場合と同様、ゴルフの競技者の目とグリーン上のボールＢとの距離が従来の場合より縮まり、これにより、ゴルフボールＢの認識、パッティングラインの把握の度合いが高まりパッティング時のヘッド２ｂのブレも抑えることができ、従来のパッティングの場合よりもゴルフボールＢに対して一層正確にパッティングを行うことができ、パッティングの正確性向上を図ることが可能となる。
実施の形態１、２、３で述べたように、前記ヘッドの形状は種々の形態のものを採用することが可能である。
図７は、図３のゴルフ用パター１Ｂの変形実施の形態に係るゴルフ用パター１Ｆを示すものであり、シャフト５の部分を削除し、ヘッド２ｂと把持用のグリップ部４とのみをもって構成したものである。このゴルフ用パター１Ｆにおいても、前記図３のゴルフ用パター１Ｂと同様の作用、効果を発揮できる。
図４は、本発明の実施の形態４のゴルフ用パター１Ｃを示すもので、このゴルフ用パター１Ｃは、ゴルフ・プレーにおけるパッティング用のヘッド７と、このヘッド７に取り付けた操作用、把持用のグリップ部（例えばカーリングの如きドアーのハンドルのようなグリップ部）８を具備している。
このゴルフ用パター１Ｃは、パッティング用のヘッド７に操作用、把持用のグリップ部を取り付けた構成であるから、操作用グリップ部８を片手に持ち、例えばしゃがんだ体勢でグリーン上のゴルフボールＢに対して体を正対し、このボールＢをグリーンに設けた穴に向けて正確に打つことができる。ゴルフ用パター１Ｃの場合においても、前記ヘッド７の形状はＴ字状、Ｌ字状、マレット型等種々の形態のものを採用できる。
図８は、図４のゴルフ用パター１Ｃの変形実施の形態に係るゴルフ用パター１Ｇを示すものであり、シャフト５の部分を削除し、ヘッド７と把持用のグリップ部８とのみをもって構成したものである。このゴルフ用パター１Ｇにおいても、前記図４のゴルフ用パター１Ｃと同様の作用、効果を発揮できる。
図９は、本発明に係る実施の形態５のゴルフ用パター１Ｈを示すもので、このゴルフ用パター１Ｈは、ゴルフ・プレーにおけるパッティング用のヘッド１０と、このヘッド１０に取り付けた操作用、把持用のグリップ部（例えばヘッド１０に対して垂直の方向位置で且つ水平状のグリップ部）１１を具備している。図中の符号１２は、屈曲したシャフトである。
このゴルフ用パター１Ｈは、パッティング用のヘッド１０に対して垂直の方向位置で且つ水平状のグリップ部１１を取り付けた構成であるから、操作用グリップ部１１を片手に持ち、例えばしゃがんだ体勢でグリーン上のゴルフボールＢに対して体を正対し、そして、グリーンに設けた穴、ゴルフボールＢ、グリップ部１１が一直線状になるような状態でもって、このボールＢをグリーンに設けた穴に向けて正確に打つことができる。ゴルフ用パター１Ｈの場合においても、前記ヘッド１０の形状はＴ字状、Ｌ字状、マレット型等種々の形態のものを採用できる。
図１０は、図９のゴルフ用パター１Ｈの変形実施の形態に係るゴルフ用パター１Ｊを示すものであり、シャフト１２の部分を変形して構成したものである。このゴルフ用パター１Ｊにおいても、前記図１０のゴルフ用パター１Ｈと同様の作用、効果を発揮できる。
【発明の効果】
本発明によれば、柄を従来のパターより極端に、例えば約半分以下又は約１／３以下に短くした構成であるか、或いはパターのシャフトの部分を削除しヘッドと把持用のグリップ部のみをもってパターを構成したものであることから、従来のパッティングの場合よりもゴルフボールに対して一層正確に正対してパッティングを行うことができ、これにより、パッティングの正確性向上を図ることが可能な斬新なゴルフ用パターを提供できる。
また、本発明によれば、ヘッドの形状をＴ字状又はＬ字状、更には、マレット型の各種形態として、従来のパッティングの場合よりもゴルフボールに対して一層正確に正対してパッティングを行うことができ、これにより、パッティングの正確性向上を図ることが可能な斬新なゴルフ用パターを提供できる。
更に、本発明によれば、ゴルフ・プレーにおけるパッティング用のヘッドに操作用グリップ部を取り付けたという構成で、従来のパッティングの場合よりもゴルフボールに対して一層正確に正対してパッティングを行うことができ、パッティングの正確性向上を図ることが可能な斬新なゴルフ用パターを提供できる。
【図面の簡単な説明】
【図１】本発明の実施の形態１のゴルフ用パターを示す斜視図である。
【図２】本発明の実施の形態２のゴルフ用パターを示す斜視図である。
【図３】本発明の実施の形態３のゴルフ用パターを示す斜視図である。
【図４】本発明の実施の形態４のゴルフ用パターを示す斜視図である。
【図５】図１のゴルフ用パターの変形実施の形態に係るゴルフ用パターを示す斜視図である。
【図６】図２のゴルフ用パターの変形実施の形態に係るゴルフ用パターを示す斜視図である。
【図７】図３のゴルフ用パターの変形実施の形態に係るゴルフ用パターを示す斜視図である。
【図８】図４のゴルフ用パターの変形実施の形態に係るゴルフ用パターを示す斜視図である。
【図９】本発明の実施の形態５のゴルフ用パターを示す斜視図である。
【図１０】図９のゴルフ用パターの変形実施の形態に係るゴルフ用パターを示す斜視図である。
【符号の説明】
１    ゴルフ用パター
１Ａ  ゴルフ用パター
１Ｂ  ゴルフ用パター
１Ｃ  ゴルフ用パター
１Ｄ  ゴルフ用パター
１Ｅ  ゴルフ用パター
１Ｆ  ゴルフ用パター
１Ｇ  ゴルフ用パター
１Ｈ  ゴルフ用パター
１Ｊ  ゴルフ用パター
２    ヘッド
２ａ  ヘッド
２ｂ  ヘッド
３    柄
４    グリップ部
５    シャフト
７    ヘッド
８    操作用、把持用のグリップ部
１０    ヘッド
１１    グリップ部
１２    シャフト
Ｂ    ゴルフボール
【図１】
0004045311.tif 000002
【図２】
0004045311.tif 000003
【図３】
0004045311.tif 000004
【図４】
0004045311.tif 000005
【図５】
0004045311.tif 000006
【図６】
0004045311.tif 000007
【図７】
0004045311.tif 000008
【図８】
0004045311.tif 000009
【図９】
0004045311.tif 000010
【図１０】
0004045311.tif 000011